(57)【要約】【課題】  障子の昇降時に振動や音が発生するのを防止し、夏季の高温時等に窓枠からの熱によって動作が妨げられることのないものを提供する。【解決手段】  左右の縦枠５、上枠、及び下枠を四方枠組してなる窓枠の内側に昇降自在に設けられる障子を昇降方向の任意の位置に停止させるためのバランサー装置２０の取り付け構造であって、バランサー装置２０は、縦枠５に沿って取り付けられる筒状の本体２１と、この本体２１に対して長手方向に進退可能に設けられ、先端部に障子が連結されるロッド２６とを備え、本体２１は、その上下両端部にて縦枠５に固定される。また、本体２１は、本体２１と縦枠５との間に隙間が形成されるように固定される。本体２１の揺れによる振動、音の発生を防止できる。また、本体２１内の樹脂製の部品が熱により影響を受けるのを防止でき、障子の安定した昇降動作を維持し続けることができる。【選択図】        図３
2007032006.tif 000002
【特許請求の範囲】
【請求項１】
左右の縦枠、上枠、及び下枠を四方枠組してなる窓枠の内側に昇降自在に設けられる障子を昇降方向の任意の位置に停止させるためのバランサー装置の取り付け構造であって、
前記バランサー装置は、前記縦枠に沿って取り付けられる筒状の本体と、この本体の一端に対して長手方向に進退可能に設けられ、先端部に前記障子が連結されるロッドとを備え、前記本体を、その少なくとも上下２箇所で前記縦枠に固定したことを特徴とするバランサー装置の取り付け構造。
【請求項２】
前記本体の他端に第１支持部材を設け、該第１支持部材を介して前記本体の他端を前記縦枠に固定するとともに、前記障子の全開時に該障子を前記第１支持部材に当接させることにより、前記障子のそれ以上の上昇を制限することを特徴とする請求項１に記載のバランサー装置の取り付け構造。
【請求項３】
前記本体の一端に固定具を有する第２支持部材を設け、該第２支持部材の固定具を前記縦枠に固定することにより、前記本体の一端を前記縦枠に固定することを特徴とする請求項１又は２に記載のバランサー装置の取り付け構造。
【請求項４】
前記本体を、前記縦枠との間に隙間が形成されるように固定したことを特徴とする請求項１から３の何れかに記載のバランサー装置の取り付け構造。
【請求項５】
左右の縦枠、上枠、及び下枠を四方枠組してなる窓枠と、この窓枠の内側に昇降自在に設けられる障子と、この障子を昇降方向の任意の位置に停止させるためのバランサー装置とを備える上げ下げ窓であって、
前記バランサー装置は、前記縦枠に沿って取り付けられる筒状の本体と、この本体に対して長手方向に進退可能に設けられ、先端部に前記障子が連結されるロッドとを備え、前記本体を、その上下両端部にて前記縦枠に固定したことを特徴とする上げ下げ窓。
【発明の詳細な説明】
【技術分野】
【０００１】
本発明は、バランサー装置の取り付け構造及び上げ下げ窓に関し、特に、円滑な昇降動作が得られるバランサー装置の取り付け構造及び上げ下げ窓に関する。
【背景技術】
【０００２】
障子を昇降方向の任意の位置に停止させる機能を備えた上げ下げ窓の一例として、左右の縦枠、上枠、及び下枠を四方枠組してなる窓枠と、窓枠に固定して設けられる外障子と、窓枠に昇降自在に設けられる内障子と、各縦枠の内側に設けられるとともに、内障子を昇降方向の任意の位置に停止させるバランサー装置とを備えた上げ下げ窓が提案されている。
【０００３】
このような上げ下げ窓として、例えば、特許文献１には、バランサー装置が、上端部が縦枠に固定されるパイプと、パイプ内に上下動自在に挿着されるねじ板と、パイプ内の下端部に回転自在に設けられるとともに、ねじ板と噛合してねじ板の上下動に追従して回転するナット部材と、パイプ内に設けられるとともに、一端部がパイプの上端部に連結され、他端部がナット部材に連結される螺旋ばねとを備え、ねじ板の先端部に内障子が連結された構成が記載されている。
【０００４】
また、特許文献２には、上げ下げ窓の他の例として、外殻体と、外殻体内に上下動自在に挿着される可動体と、可動体と噛合して可動体の上下動に追従して回転する加圧体と、外殻体内に設けられるとともに、一端部がパイプの上端部に連結され、他端部が加圧体に連結されるバネ体と、中心部に可動体を挿通させた状態で窓枠側に固定される制御体とからなるバランサー装置を備えた上げ下げ窓が記載されている。
【特許文献１】特公平８−３３０４号公報
【特許文献２】特開２００４−１５６４１４号公報
【発明の開示】
【発明が解決しようとする課題】
【０００５】
上記のような構成の上げ下げ窓のうち、特許文献１に記載されている上げ下げ窓は、バランサー装置のパイプの上端部のみが窓枠の縦枠に連結されているため、障子を昇降させた場合に、ねじ板の上下動やナット部材の回転動作によってパイプに揺れが生じ、この揺れによってパイプの下端部が縦枠に接触し、不快な振動や音が発生することがある。
【０００６】
また、特許文献２に記載されている上げ下げ窓は、制御体の中心部に可動体を挿通させた状態で制御体を窓枠側に固定しているため、上端部のみを窓枠側に固定している外殻体に揺れが生じるのを多少は防げるものの、完全に揺れを防ぐことができないため、外殻体が窓枠側に接触して振動や音が発生するのを完全に防止することはできない。さらに、制御体の可動体を挿通させる部分の上端が開放されているため、その開放されている部分から制御体の内部に塵等が進入し、可動体の円滑な上下動を阻害することがある。
【０００７】
さらに、特許文献１に記載されている窓枠及びバランサー装置のパイプ、特許文献２に記載されている窓枠及びバランサー装置の外殻体は、共にアルミ等の金属から形成されるとともに、相互に直接に接触しているため、夏季の高温時等に窓枠の熱がパイプ、外殻体に直接に伝達し、パイプ、外殻体内部の樹脂製のナット部材、加圧体が熱により変形し、ねじ板、可動体の上下動作に影響を及ぼし、障子を円滑に昇降させることが困難になる。
【０００８】
本発明は、上記のような従来の問題に鑑みなされたものであって、障子を昇降させた際に生じる振動や音の発生を抑制することが可能なバランサー装置の取り付け構造及び上げ下げ窓を提供することを第１の目的とする。さらに、夏季の高温時等に、窓枠の熱によってバランサー装置のパイプ内部の樹脂製の部品が熱変形を起こして、障子の昇降動作を妨げるようなことはなく、常に円滑に障子を昇降させ、かつ任意の位置に停止させることができるバランサー装置及び上げ下げ窓を提供することを第２の目的とする。
【課題を解決するための手段】
【０００９】
上記のような課題を解決するために、本発明は、以下のような手段を採用している。
すなわち、請求項１に係る発明は、左右の縦枠、上枠、及び下枠を四方枠組してなる窓枠の内側に昇降自在に設けられる障子を昇降方向の任意の位置に停止させるためのバランサー装置の取り付け構造であって、前記バランサー装置は、前記縦枠に沿って取り付けられる筒状の本体と、この本体の一端に対して長手方向に進退可能に設けられ、先端部に前記障子が連結されるロッドとを備え、前記本体を、その少なくとも上下２箇所で前記縦枠に固定したことを特徴とする。
【００１０】
本発明によるバランサー装置の取り付け構造によれば、本体は、少なくとも上下２箇所で窓枠の縦枠に固定されることになるので、ロッドを進退させたときに、本体に揺れが生じるようなことはなく、本体が揺れることによって不快な振動や音が発生するようなことはなくなる。
【００１１】
また、請求項２に係る発明は、請求項１に記載のバランサー装置の取り付け構造であって、前記本体の他端に第１支持部材を設け、該第１支持部材を介して前記本体の他端を前記縦枠に固定するとともに、前記障子の全開時に該障子を前記第１支持部材に当接させることにより、前記障子のそれ以上の上昇を制限することを特徴とする。
【００１２】
本発明によるバランサー装置の取り付け構造によれば、本体の他端は第１支持部材を介して縦枠に固定されることになる。また、障子の全開時に、障子が第１支持部材に当接することにより、障子のそれ以上の上昇が制限されることになる。
【００１３】
請求項３に係る発明は、請求項１又は２に記載のバランサー装置の取り付け構造であって、前記本体の一端に固定具を有する第２支持部材を設け、該第２支持部材の固定具を前記縦枠に固定することにより、前記本体の一端を前記縦枠に固定することを特徴とする。
【００１４】
本発明によるバランサー装置の取り付け構造によれば、本体の一端は、第２支持部材の固定具を縦枠に固定することにより、第１支持部材を介して縦枠に固定されることになる。
【００１５】
請求項４に係る発明は、請求項１から３の何れかに記載のバランサー装置の取り付け構造であって、前記本体を、前記縦枠との間に隙間が形成されるように固定したことを特徴とする。
【００１６】
本発明によるバランサー装置の取り付け構造によれば、本体と窓枠の縦枠との間に隙間を形成することができるので、夏季の高温時等に窓枠の縦枠の熱が本体に直接に伝達するようなことはなく、本体の内部に設けられている部品が熱による影響を受けることはなく、ロッドの円滑な進退動作を維持し続けることができる。
【００１７】
さらに、請求項５に係る発明は、左右の縦枠、上枠、及び下枠を四方枠組してなる窓枠と、この窓枠の内側に昇降自在に設けられる障子と、この障子を昇降方向の任意の位置に停止させるためのバランサー装置とを備える上げ下げ窓であって、前記バランサー装置は、前記縦枠に沿って取り付けられる筒状の本体と、この本体に対して長手方向に進退可能に設けられ、先端部に前記障子が連結されるロッドとを備え、前記本体を、その上下両端部にて前記縦枠に固定したことを特徴とする。
【００１８】
本発明による上げ下げ窓によれば、バランサー装置の本体は、上下両端部にて窓枠の縦枠に固定されることになるので、ロッドを進退させたときに、本体に揺れが生じるようなことはなく、本体が揺れることによって不快な振動や音が発生するようなことはなく、振動や音が発生することなく、円滑に障子を昇降させ、任意の位置に停止させることができる。
【発明の効果】
【００１９】
以上、説明したように本発明のバランサー装置の取り付け構造及び上げ下げ窓によれば、障子を昇降させる際に、不快な振動や音が発生することはなく、円滑に障子を昇降させ、任意の位置に停止させることができる。
また、夏季の高温時等に、窓枠の熱によってバランサー装置のパイプ内部の樹脂製の部品が熱変形を起こして、障子の昇降動作を妨げるようなことはなく、常に円滑に障子を昇降させ、かつ任意の位置に停止させることができる。
【発明を実施するための最良の形態】
【００２０】
以下、図面に示す本発明の実施の形態について説明する。
図１〜図３には、本発明による上げ下げ窓及びバランサー装置の取り付け構造一実施の形態が示されていて、図１は上げ下げ窓の全体を示す斜視図、図２は図１の上げ下げ窓から内障子を取り外した状態を示す斜視図、図３はバランサー装置の全体を示す正面図である。
【００２１】
すなわち、本実施の形態に示す上げ下げ窓１は、建物の開口部に取り付けられて、開口部を開閉するものであって、建物の開口部に取り付けられ、上枠３と下枠４と一対の縦枠５、５とからなる窓枠２と、窓枠２に固定して設けられる外障子１０と、窓枠２に昇降自在に設けられる内障子１５と、内障子１５を昇降方向（上下方向）の任意の位置に停止させる本発明のバランサー装置２０とを備えている。
【００２２】
外障子１０は、両縦枠５、５間に固定され、又は昇降自在に設けられる。外障子１０を両縦枠５、５間に固定する場合には、外障子１０をガラス板１１の単体で構成し、外障子１０の上側縁部を窓枠２の上枠３の溝内に挿入し、下側縁部を両縦枠５、５間に水平に架設される横桟１２の溝内に挿入し、両側縁部を両縦枠５、５の溝内に挿入する。また、外障子１０を両縦枠５、５間に昇降自在に設ける場合には、上框と下框と一対の縦框とを組み合わせて角環状に形成し、この角環状に形成したものの内側にガラス板１１を取り付け、両縦框を窓枠２の両縦枠５、５の溝内に昇降自在に挿入する。
【００２３】
内障子１５は、上框１６と下框１７と一対の縦框１８、１８とを四方枠組みして角環状に形成し、この角環状に形成したものの内側にガラス板１９を取り付けて構成したものであって、両縦框１８、１８が窓枠２の両縦枠５、５の溝６、６内に昇降自在に挿入され、この内障子１５を昇降方向（上下方向）の任意の位置に停止させるバランサー装置２０が各縦枠５の溝６内に設けられる。
【００２４】
バランサー装置２０は、図３及び図４に示すように、各縦枠５の溝６内に固定される本体であるパイプ２１と、パイプ２１内に進退自在に挿着されるロッド２６と、パイプ２１内に設けられるとともに、ロッド２６を任意の位置に停止させるための付勢力を付与する付勢手段３５と、パイプ２１を縦枠５側に固定する固定手段４５、６０とを備えている。
【００２５】
パイプ２１は、アルミ等の金属から形成される筒状をなすものであって、図４に示すように、長手方向の一端部（上端部）内周側に金属製の略筒状のエンドキャップ２３が嵌着され、長手方向の他端（下端）開口部に径方向内方に環状に突出するフランジ部２２が一体に設けられている。
【００２６】
エンドキャップ２３は、パイプ２１の内周に嵌合される筒状の大径部２４と、大径部２４に連続して設けられる筒状の小径部２５とからなり、このエンドキャップ２３の大径部２４及び小径部２５の内周側を後述するロッド２６の後端部２８が挿通し、小径部２５の外周側に後述する螺旋ばね４３の長手方向の一端部が嵌着されている。
【００２７】
ロッド２６は、図４に示すように、ステンレス等の金属から形成される帯板を捩じって螺旋状に形成したものであって、パイプ２１の内周側に往復動自在に挿着されている。ロッド２６は、パイプ２１内に最大に没入した状態で、先端部２７がパイプ２１の下端開口部から外方に所定量突出するように、長さが設定されている。ロッド２６の先端部２７及び後端部２８は平板状に形成され、このロッド２６の平板状の先端部２７に上げ下げ窓１の内障子１５の下框１７が取付け治具６３を介して連結され、後端部２８に抜け止め用の樹脂製のストッパー２９が取り付けられている。
【００２８】
付勢手段３５は、図４に示すように、パイプ２１の下端部内周側に回転自在に装着されるとともに、内周側の一部がロッド２６の螺旋状部３０と噛合する樹脂製の略筒状のカップリング３６と、パイプ２１の内周側に設けられる螺旋ばね４３とから構成され、カップリング３６の内周側をロッド２６が進退自在に挿通している。
【００２９】
カップリング３６は、ほぼ全体がパイプ２１内に収納されるとともに、先端部３９がパイプ２１の他端開口部から外方に所定量突出している。カップリング３６の外周側のパイプ２１のフランジ部２２に隣接する部分には、径方向に環状に突出するフランジ部３７が一体に設けられ、このフランジ部３７をパイプ２１のフランジ部２２の内面側にワッシャ４１を介して当接させることにより、カップリング３６がパイプ２１から抜け出るのが防止される。カップリング３６のパイプ２１から突出している先端部３９の根元部には、径方向外方に突出する係止部４４が一体に設けられ、この係止部４４とパイプ２１のフランジ部２２の外面との間に樹脂製の環状のワッシャ４２を介装させることにより、カップリング３６がパイプ２１内に没入するのが防止される。
【００３０】
カップリング３６の内周のフランジ部３７に対応する部分には、径方向内方に突出する一対の突起３８、３８がカップリング３６の軸線を中心として対向配置され、この一対の突起３８、３８がカップリング３６の内周側を挿通するロッド２６の螺旋状部３０と噛合している。これにより、ロッド２６の進退に追従してカップリング３６が正逆回転する。
【００３１】
螺旋ばね４３は、パイプ２１の内周面に沿って設けられるとともに、長手方向の一端部（図４の上端部）がエンドキャップ２３の小径部２５の外周側に嵌着され、他端部がカップリング３６の外周側に嵌着されている。
【００３２】
螺旋ばね４３は、内障子１５を最大に上昇させたときに、内障子１５が自重によって落下しないように、内障子１５を取り付ける際に、ロッド２６を回転させてカップリング３６を回転させることにより、初期ばね力が付与される。
【００３３】
そして、初期ばねが付与された状態で、内障子１５を下降させることにより、ロッド２６及びカップリング３６が回転し、螺旋状ばね４３が巻き締められてばね力が強められ、このばね力によってカップリング３６の突起３８、３８がロッド２６の螺旋状部３０に強く圧接され、内障子１５が昇降方向の任意の位置に停止される。
【００３４】
図３に示す固定手段４５、６０は、パイプ２１を窓枠２の縦枠５に固定するためのものであって、第１固定手段４５はパイプ２１の上端部を窓枠２の縦枠５に固定し、第２固定手段６０はパイプ２１の下端部を縦枠５に固定する。
【００３５】
第１固定手段４５は、パイプ２１の図中上端部を支持する合成樹脂製の第１支持部材４６と、この第１支持部材４６を窓枠２の縦枠５に固定する固定具５５とを備えている。第１支持部材４６は、図２、図３、図５〜図７に示すように、略直方体状に形成されるものであって、窓枠２の縦枠５の溝６内に嵌合された状態で縦枠５側に固定される。第１支持部材４６は、上げ下げ窓１の内障子１５の昇降を制限するクレセントストッパーと兼用される。
【００３６】
第１支持部材４６の裏面（図３の右面）には、図１０に示すように、嵌合部である直方体状の溝４７が設けられ、この溝４７内にパイプ２１の端部が挿入される。溝４７の長手方向の一端部（図中上端部）には、第１支持部４８が設けられ、中央部には第２支持部５６が設けられ、他端部には第３支持部５８が設けられ、これら第１支持部４８、第２支持部５６、及び第３支持部５８の先端部にパイプ２１の外周面が係合される。
【００３７】
より詳細には、第１支持部４８の先端部には、パイプ２１の外径と合致する曲率の円弧状の凹部４９が設けられ、第２支持部５６及び第３支持部５８の先端部には、パイプ２１の外径と合致する曲率の半長円形状の凹部５７、５９がそれぞれ設けられ、これらの凹部４９、５７、５９は曲率中心が同一線上に位置するように、第１支持部４８、第２支持部５６及び第３支持部５８の先端部に設けられる。そして、これらの凹部４９、５７、５９内にパイプ２１の外周面が係合される。また、第１支持部４８の凹部４９、第２支持部５６の凹部５７、第３支持部５８の凹部５９の曲率中心を通る線上に位置する第１支持部材４６の長手方向の一端部（図中上端部）には、所定の深さの円形状の嵌合穴５４が溝４７に面するように設けられ、この嵌合穴５４内にパイプ２１の一端部（図中上端部）が嵌合される。
【００３８】
従って、パイプ２１は、外周面が第１支持部材４６の内部に位置するように、第１支持部材４６に支持されることになるので、第１支持部材４６を窓枠２の縦枠５の溝６内に固定したときに、パイプ２１の外周面と縦枠５の溝６の底面に所定の間隙を形成することができ、パイプ２１が縦枠５の溝６の底面に接触するのを防止できる。
【００３９】
第１支持部材４６の第１支持部４８には、第１支持部材４６を表面側から裏面側に貫通するねじ挿通用の孔５０が設けられ、このねじ挿通用の孔５０内にねじ５５が挿通され、このねじ５５を縦枠５側のねじ孔７に螺着させることにより、第１支持部材４６が縦枠５の溝６内に固定される。なお、ねじ５５を挿通させるためのねじ挿通用の孔５０は、表面側から大径部５１、中径部５２、小径部５３の３段に形成され、小径部５３をねじ５５のねじ部が挿通し、中径部５２にねじ５５の頭部が収納され、大径部５１にねじ挿通用の孔５０を閉塞するキャップ（図示せず）が嵌着される。
【００４０】
第２固定手段６０は、図３及び図４に示すように、パイプ２１の図中下端部を嵌合させる合成樹脂製の筒状の第２支持部材６１と、第２支持部材６１と一体に形成される固定具である割りピン６２とを備えている。パイプ２１の下端部は、第２支持部材６１の内周側の長手方向の中間部まで嵌合される。
【００４１】
第２固定手段６０の第２支持部材６１をパイプ２１の端部に取り付け、この状態で固定具である割りピン６２を窓枠２の縦枠５に設けた嵌合孔８内に嵌合させることにより、第２固定手段６０を介してパイプ２１の下端部が縦枠５側に固定される。
【００４２】
この場合、第２支持部材６１の外径は、パイプ２１の他端部の外径よりも大径に形成されているので、第２支持部材６１を縦枠５の溝６の底面に取り付けた状態で、パイプ２１の外周面と縦枠５の溝６の底面との間に所定の間隙が形成されることになる。第１固定手段４５と第２固定手段６０による縦枠５の溝６底面とパイプ２１との間隔は同一とするのが好ましい。これにより、縦枠５と平行してバランサー装置２０を設けることができるので、摺動抵抗等が発生するのを阻止できる。
【００４３】
そして、上記のように構成した上げ下げ窓１の内障子１５を昇降させると、それに追従してバランサー装置２０のロッド２６が上下方向に進退し、ロッド２６の進退に追従してカップリング３６が回転し、カップリング３６の回転に追従して螺旋ばね４３が巻き締められ、又は巻き戻される。
【００４４】
この場合、バランサー装置２０のパイプ２１の上端部は第１固定手段４５によって縦枠５側に固定され、下端部は第２固定手段６０によって縦枠５側に固定されているので、内障子１５を昇降させることを繰り返し行い、ロッド２６の進退及びカップリング３６の回転を繰り返しても、パイプ２１が縦枠５の溝６内で揺れるようなことはない。従って、パイプ２１が縦枠５側に接触して不快な振動や音が発生するようなことはなく、振動や音を発生させることなく、円滑に内障子１５を昇降させ、任意の位置に停止させることができる。
【００４５】
また、第１固定手段４５の樹脂製の第１支持部材４６及び第２固定手段６０の樹脂製の第２支持部材６１によってパイプ２１の長手方向の上下両端部を支持し、両支持部材４６、６１を縦枠５の溝６内に固定具５５、６２によって固定することにより、パイプ２１の外周面と縦枠５の溝６の底面との間に所定の隙間を形成しているので、夏季の高温時等に金属製の窓枠２が高温になっても、その窓枠２の熱が金属製のパイプ２１に直接に伝達することはない。
【００４６】
従って、パイプ２１内に回転自在に設けられている樹脂製のカップリング３６が窓枠２からの熱によって変形し、カップリング３６の一対の突起３８、３８とロッド２６の螺旋状部３０との噛合状態が変化し（接触面積が増大し）、ロッド２６の進退動作を妨げるようなことはなく、円滑なロッド２６の進退動作を維持し続けることができ、ロッド２６に連結される内障子１５を円滑に昇降させ、かつ任意の位置に停止させることができる。
【００４７】
なお、前記の説明においては、パイプ２１の上下両端部の２箇所を窓枠２の縦枠５に固定したが、２箇所以上を縦枠５に固定してもよい。
【図面の簡単な説明】
【００４８】
【図１】本発明による上げ下げ窓の一実施の形態を示した斜視図である。
【図２】図１の上げ下げ窓から内障子を取り外した状態を示した斜視図である。
【図３】本発明によるバランサー装置の一実施お形態を示した正面図である。
【図４】バランサー装置の断面図である。
【図５】第１固定手段の第１支持部材の正面図である。
【図６】図５の下面図である。
【図７】図５のＡ−Ａ線断面図であって、パイプの一端部を嵌合させた状態を示した説明図である。
【符号の説明】
【００４９】
１    上げ下げ窓                ２    窓枠
３    上枠                      ４    下枠
５    縦枠                      ６    溝
７    ねじ孔                    ８    嵌合孔
１０  外障子                    １１、１９  ガラス板
１２  横桟                      １５  内障子
１６  上框                      １７  下框
１８  縦框                      ２０  バランサー装置
２１  本体（パイプ）            ２２  フランジ部
２３  エンドキャップ            ２４  大径部
２５  小径部                    ２６  ロッド
２７  先端部                    ２８  後端部
２９  ストッパー                ３０  螺旋状部
３５  付勢手段                  ３６  カップリング
３７  フランジ部                ３８  突起
３９  先端部                    ４０  係止部
４１、４２  ワッシャ            ４３  螺旋ばね
４４  係止部                    ４５  第１固定手段
４６  第１支持部材              ４７  溝
４８  第１支持部                ４９、５７、５９  凹部
５０  ねじ挿通用孔              ５１  大径部
５２  中径部                    ５３  小径部
５４  嵌合穴                    ５５  固定具（ねじ）
５６  第２支持部                ５８  第３支持部
６０  第２固定手段              ６１  第２支持部材
６２  固定具（割りピン）        ６３  取付け治具
【図１】
2007032006.tif 000003
【図２】
2007032006.tif 000004
【図３】
2007032006.tif 000005
【図４】
2007032006.tif 000006
【図５】
2007032006.tif 000007
【図６】
2007032006.tif 000008
【図７】
2007032006.tif 000009